(57)【要約】【課題】類似文字を精度良く判別することを可能とした印鑑照合装置を提供することである。【解決手段】本発明の印鑑照合装置では、印影の大きさに応じて、矩形領域の固定サイズおよび相違画素数の閾値を決定し（ステップＳ１８およびステップＳ１９〜Ｓ２１）、それを用いて類似文字判定処理を行なう（ステップＳ２２）ことにより、登録印と相違する読取印が一致すると判定される可能性を減少させることができるとともに、登録印と同一である読取印が類似文字であると判定される可能性を減少させることができる。【選択図】図１０
2010026874.tif 000002
【特許請求の範囲】
【請求項１】
媒体上に押印された印鑑の印影を読取印イメージデータとして読み取る読取部と、
登録された印鑑の印影のイメージデータである登録印イメージデータと、前記読み取られた読取印イメージデータとを重ね合わせて、前記登録印イメージデータと前記読取印イメージデータとの一致率を算出する照合処理部と、
前記算出された一致率が閾値以上であった場合に、前記登録印イメージデータと前記読取印イメージデータとを重ね合わせた画像上で、固定サイズの矩形領域をその画像左上端からその画像右下端まで１画素ずつずらすとともに、１画素ずらす毎に、前記固定サイズの矩形領域内の相違画素数をカウントし、相違画素数がいずれかの固定サイズの矩形領域内において閾値以上あった場合、前記読取印イメージデータを類似文字と判定する類似文字判定部と、
前記類似文字判定部の判定結果に基づいて、登録印イメージデータと読取印イメージデータとが一致するかどうかの判定結果を出力する照合処理結果出力部と、を有し、
登録印サイズまたはサイズ範囲と、前記矩形領域の固定サイズおよび相違画素数の閾値とを対応付けた記憶部を、前記登録印サイズをキーとして検索し、見つけた矩形領域の固定サイズおよび相違画素数の閾値を用いて、前記類似文字判定部による判定処理が実行されることを特徴とする印鑑照合装置。
【請求項２】
前記記憶部において、前記相違画素数の閾値の前記固定サイズの矩形領域中に含まれる画素数に対する割合は前記登録印サイズに関係なく略一定で、その値は、０．８７７〜０．８９であることを特徴とする請求項１記載の印鑑照合装置。
【請求項３】
前記矩形領域の固定サイズの１つは５×５の２５画素の矩形領域であり、前記相違画素数の閾値は、その５×５の２５画素の矩形領域に対して２２画素であることを特徴とする請求項２記載の印鑑照合装置。
【請求項４】
前記矩形領域の固定サイズの１つは７×７の４９画素の矩形領域であり、前記相違画素数の閾値は、その７×７の４９画素の矩形領域に対して４３画素であることを特徴とする請求項２記載の印鑑照合装置。
【請求項５】
前記矩形領域の固定サイズの１つは１０×１０の１００画素の矩形領域であり、前記相違画素数の閾値は、その１０×１０の１００画素の矩形領域に対して８９画素であることを特徴とする請求項２記載の印鑑照合装置。
【請求項６】
前記照合結果出力部は、前記類似文字判定部により類似文字でないと判定された場合、登録印イメージデータと読取印イメージデータとが一致すると判定し、
前記類似文字判定部により類似文字であると判定された場合、登録印イメージデータと読取印イメージデータとが一致しないと判定することを特徴とする請求項１記載の印鑑照合装置。
【発明の詳細な説明】
【技術分野】
【０００１】
本発明は、印鑑照合装置に関し、特に、類似文字を精度良く判別することを可能とした印鑑照合装置に関する。
【背景技術】
【０００２】
登録印とスキャナにより帳票等から読み取られた読取印との照合処理においては、始めに、登録印と読取印とを重ね合わせたイメージデータを作成し、それを基に、一致率を判定する。
【０００３】
一致率が予め定められた閾値よりも低い場合は、その読取印が登録印に一致しないことになり、照合処理が終了する。
これに対し、一致率が予め定められた閾値より高い場合は、その読取印が登録印に対する類似文字であるかどうかを判定する類似文字判定処理（局所解析処理）を実施する。この処理の結果、類似文字と判定されれば、最終的に、その読取印は登録印に一致しないことになり、照合処理が終了する。
【０００４】
また、この処理の結果、類似文字と判定されなければ、最終的に、その読取印は登録印に一致したことになり、照合処理が終了する。
しかし、従来、局所解析処理において、印影の大きさに関係なく一律なパラメータ（判定に使用する矩形領域サイズ）を使用している。この方法では、印影の大きさと相違部分の大きさとによっては、類似文字判定が正確に行えない場合が出てくるという問題がある。なお、類似文字とは、例えば「大」と「太」のようによく似ているが異なる文字のことである。
【０００５】
周辺技術として、例えば、特許文献１では、印鑑のサイズに合わせて精度を上げて読み取る技術が示されている。また、特許文献２では、照合領域の大きさに応じて分割数を決定する技術が示されている。また、特許文献３では、押印された印影面のイメージを取得するイメージデータ取得部と、取得されたイメージデータから照合対象印影の色を有するイメージデータを抽出する抽出部と、抽出されたイメージデータから照合元印影の大きさを有する範囲のイメージデータを、照合対象印影のイメージデータとして取り出す照合対象特定部と、を有する印影照合装置が示されている。
【特許文献１】特開昭５８−２２３８７８号公報
【特許文献２】特開昭６１−１８２１８０号公報
【特許文献３】特開平１１−９６３６２号公報
【発明の開示】
【発明が解決しようとする課題】
【０００６】
本発明は、類似文字を精度良く判別することを可能とした印鑑照合装置を提供することを目的とする。
【課題を解決するための手段】
【０００７】
提案する印鑑照合装置は、媒体上に押印された印鑑の印影を読取印イメージデータとして読み取る読取部と、登録された印鑑の印影のイメージデータである登録印イメージデータと、上記読み取られた読取印イメージデータとを重ね合わせて、上記登録印イメージデータと前記読取印イメージデータとの一致率を算出する照合処理部と、上記算出された一致率が閾値以上であった場合に、上記登録印イメージデータと上記読取印イメージデータとを重ね合わせた画像上で、固定サイズの矩形領域をその画像左上端からその画像右下端まで１画素ずつずらすとともに、１画素ずらす毎に、上記固定サイズの矩形領域内の相違画素数をカウントし、相違画素数がいずれかの固定サイズの矩形領域内において閾値以上あった場合、上記読取印イメージデータを類似文字と判定する類似文字判定部と、上記類似文字判定部の判定結果に基づいて、登録印イメージデータと読取印イメージデータとが一致するかどうかの判定結果を出力する照合処理結果出力部と、を有する。
【０００８】
そして、登録印サイズまたはサイズ範囲と、前記矩形領域の固定サイズおよび相違画素数の閾値とを対応付けた記憶部を、前記登録印サイズをキーとして検索し、見つけた矩形領域の固定サイズおよび相違画素数の閾値を用いて、前記類似文字判定部による判定処理を実行するものである。
【発明の効果】
【０００９】
提案する印鑑照合装置によれば、印影の大きさに応じて、矩形領域の固定サイズおよび相違画素数の閾値を決定し、それを用いて類似文字判定処理を行なうことにより、登録印と相違する読取印が一致すると判定される可能性を減少させることができるとともに、登録印と同一である読取印が類似文字であると判定される可能性を減少させることができることが、数々の印影のイメージデータ同士の照合実験を通して本願の発明者により発見された。なお、この際、相違画素数の閾値のフィルタ中に含まれる画素数に対する割合は登録印サイズに関係なく略一定で、その値を、０．８７７〜０．８９の範囲内から選定することが好ましいことも本願の発明者により発見された。
【発明を実施するための最良の形態】
【００１０】
以下図面に基づいて、本発明の実施形態について詳細を説明する。
銀行等の店舗において、入金、出金、振込み、等の各種取引を行なう際に、自動取引装置（ＡＴＭ）を使用する代わりに、取引に応じた帳票に届出印を捺印して、これを窓口に提出する場合を以下では扱う。
【００１１】
窓口には、印鑑照合装置（以下、単に「照合装置」という）が設置されており、これをオペレータが操作することにより捺印された印影が登録してあるものと一致するかどうかの照合が行われる。
【００１２】
図１は、本発明の一実施形態に係る印鑑照合装置の構成を示すブロック図である。
図１において、窓口のオペレータは、提出された帳票を参照して、例えば、その帳票上の口座番号を印鑑照合装置１の入力部（不図示）を介して入力する。そして、検索部２によりその入力した口座番号をキーとして、口座番号と登録した印鑑の印影のイメージデータ（以下、「登録印イメージデータ」という）とを対応付けたデータを保持する印鑑サーバ３を検索して、見つけた登録印イメージデータを印鑑サーバ３から読み出す。
【００１３】
続いて、窓口のオペレータはスキャナ４により提出された帳票上に押印された印鑑の印影を内に含むその帳票上の所定範囲をイメージデータとして読み取る。
登録印と読取印のイメージデータ同士の照合を行い、さらに、類似文字であるかどうかも判定して、最終的に、登録印と読取印のイメージデータが一致するかどうかを決定する照合／判定部５は、印影検索部６、照合処理部７、類似文字判定部８により構成される。
【００１４】
印影検索部６は、読み取られた印影を内に含む帳票上の所定範囲のイメージデータを検索して、その所定範囲のうちの印影がある範囲を、帳票上から読み取られた印影のイメージデータ（以下、「読取印イメージデータ」という）として特定する。
【００１５】
照合処理部７は、登録印イメージデータと読取印イメージデータとを重ね合わせて重ね合わせイメージデータを作成し、それに基づいて、登録印イメージデータと読取印イメー
ジデータとの一致率を算出する。なお、重ね合わせを行なう際に、登録印イメージデータから登録印の印影領域のサイズ（縦／横の大きい方の長さ）が求められる。
【００１６】
類似文字判定部８は、登録印イメージデータと読取印イメージデータとの一致率が予め定められた閾値以上であった場合に、登録印と類似した読取印を除外するために行われる判定処理（詳細は後述）である。
【００１７】
なお、登録印イメージデータと読取印イメージデータとの一致率が予め定められた閾値より小さかった場合、登録印イメージデータと読取印イメージデータとが不一致であることは明確であるので、通常、この類似文字判定処理は省略する。なお、「類似文字」とは類似しているが別の文字という意味である。
【００１８】
照合結果表示部１１は、照合処理部７の処理結果と、類似文字判定部８の判定結果の組み合わせにより、登録印イメージデータと読取印イメージデータとが一致するかどうかを判定し、その判定結果を表示装置１２上に出力する。
【００１９】
続いて、図２Ａ、図２Ｂ、および図３を参照して類似文字判定処理（局所解析処理）について説明する。
図２Ａおよび図２Ｂは、類似文字判定処理（局所解析処理）の方法を示す図（その１）である。
【００２０】
ここでは、登録印が「太田」であり、帳票から読み取られた読取印が「大田」である場合を扱う。この場合、図２Ａに示すように、登録印イメージデータと読取印イメージデータを重ね合わせて重ね合わせイメージデータ１５を作成した後、画素の相違部分を抽出した重ね合わせイメージデータ（相違部分画素）１６を作成する。
【００２１】
すなわち、重ね合わせイメージデータ１５の各画素は、登録印イメージデータの対応する画素値と、読取印イメージデータの対応する画素値の組み合わせを識別する値を持つ。以下に、その一例を示す。
（１）対応する読取印イメージデータと登録印イメージデータの画素が共に黒であった場合、重ね合わせイメージデータの画素は赤色とする。
（２）対応する読取印イメージデータの画素が黒であり、対応する登録印イメージデータの画素が白である場合、重ね合わせイメージデータの画素は青色とする。
（３）対応する読取印イメージデータの画素が白であり、対応する登録印イメージデータの画素が黒である場合、重ね合わせイメージデータの画素は緑色とする。
（４）対応する読取印イメージデータと登録印イメージデータの画素が共に白であった場合、重ね合わせイメージデータの画素は白色とする。
【００２２】
「画素の相違部分」とはこのうち、（２）および（３）の部分をいう。
類似文字判定処理は、（１）〜（４）の４色を有する重ね合わせイメージデータ１５に対して行ってもよいし、（２）および（３）の２色を有する重ね合わせイメージデータ（相違部分画素）１６に対して行ってもよい。
【００２３】
本実施形態では、登録印サイズまたはサイズ範囲に対応したサイズのフィルタ（「マス目」ともいう）１８を使用する。
図２Ｂの（１）では、このフィルタ１８を重ね合わせイメージデータ（相違部分画素）１６の画像左上端から右端まで１ドットずつずらして、いずれかのフィルタ１８内で相違画素数が（登録印サイズまたはサイズ範囲に対応した）閾値以上あるかどうかを検出している。
【００２４】
また、マス目１８が右端に達した場合、図２Ｂの（２）に示すように、左端に戻り、下方に１ドットマス目１８をずらす。そして、（３）に示すように、その１ドット下方にずらした位置で、同様にマス目１８を右端まで１ドットずつずらす。このようにして処理を繰り返し、（４）に示すように、画像全体から相違部分の検出を行なう。
【００２５】
実際の処理においては、フィルタ（マス目）１８のいずれかの位置で、相違画素数が閾値以上あると判定された場合に、読取印イメージデータと登録印イメージデータとは類似文字であると判定される。
【００２６】
例えば、図３の重ね合わせイメージデータ１５中のフィルタ１８に対しては、このフィルタ１８のサイズが７×７＝４９画素であり、その内に相違画素数が４３あり、相違画素数の閾値が４３であるので、相違画素数が閾値に一致して類似文字と判定される。
【００２７】
続いて、類似文字判定処理（局所解析処理）の現状の問題点について図４〜図６を参照して説明する。
現状の類似文字判定処理においては、印影の大きさに関わらず、類似文字判別のパラメータを一律に設定している。すなわち、登録印サイズに関係なく、フィルタ１８のサイズを７×７＝４９画素、相違画素数の閾値を４３としている。
【００２８】
図４は、標準的な大きさの印影（相違印）における現状の局所解析処理の処理結果の一例を示す図である。
図４の例では、登録印イメージデータ２１は、縦＝約１．０ｃｍ、横＝約１．０ｃｍのサイズであり、これから、登録印の印影領域のサイズ（縦／横の大きい方の長さ）は約１．０ｃｍとなる。読取印イメージデータ２２は図４の例では明らかに登録印イメージデータ２１と異なる。これらを重ね合わせた重ね合わせイメージデータ２３中のフィルタ２４に対しては、その内に相違画素数が４３あり、相違画素数の閾値が４３であるので、類似文字だと判別される。すなわち、標準的な大きさの印影では問題ない。
【００２９】
図５は、小さめの印影（相違印）における現状の局所解析処理の処理結果の一例（判定結果を修正したい第１のケース）を示す図である。
図５の例では、登録印イメージデータ２６は、縦＝約０．７ｃｍ、横＝約０．７ｃｍのサイズであり、これから、登録印の印影領域のサイズ（縦／横の大きい方の長さ）は約０．７ｃｍとなる。読取印イメージデータ２７は図５の例では明らかに登録印イメージデータ２６と異なる。これらを重ね合わせた重ね合わせイメージデータ２８中のフィルタ２９に対しては、その内に相違画素数が４０（≦閾値４３）あり、類似文字だと判別されない。すなわち、登録印と読取印が明らかに異なるが、印影が小さいため、相違部分も標準的な大きさに比べて相対的に小さくなっている。このため、類似文字と判定すべきなのに、判定されない。
【００３０】
図６は、大きい印影（同一印）における現状の局所解析処理の処理結果の一例（判定結果を修正したい第２のケース）を示す図である。
図６の例では、登録印イメージデータ３１は、縦＝約１．７ｃｍ、横＝約１．７ｃｍのサイズであり、これから、登録印の印影領域のサイズ（縦／横の大きい方の長さ）は約１．７ｃｍとなる。読取印イメージデータ３２は図６の例では登録印イメージデータ２６と同一であるが、このケースの法人印の場合のように文字密度が高い場合は、文字の滲みなどによって相違画素が多くなっている。これらを重ね合わせた重ね合わせイメージデータ（相違画素部分）３３中のフィルタ３４に対しては、その内に相違画素数が４８（≧閾値４３）あり、類似文字だと判別される。すなわち、登録印と読取印は同一印だが、文字密度が高く文字の滲みなどによって相違画素が多いため、類似文字だと判定される。
【００３１】
図７は、登録印サイズ範囲と類似文字判別のパラメータとを対応付けたテーブルである。
図７のテーブルでは、サイズが小さい登録印（０．３ｃｍ〜０．９ｃｍの登録印、０．３ｃｍ未満の登録印は考えにくい）に対して、フィルタサイズを５×５＝２５画素、相違画素数の閾値を２２とし、サイズが標準的な登録印（０．９ｃｍ〜１．３ｃｍの登録印）に対して、フィルタサイズを７×７＝４９画素、相違画素数の閾値を４３とし、サイズが大きい登録印（１．３ｃｍ〜５．０ｃｍの登録印、５．０ｃｍより大きい登録印は考えにくい）に対して、フィルタサイズを１０×１０＝１００画素、相違画素数の閾値を８９としている。
【００３２】
なお、以上のテーブルでは、印影の大きさを３区分に分けているが、３以外の任意の区分数とすることができる。また、各区分に対して設定されたフィルタサイズ、相違画素数の閾値についても上記以外の値を採用可能である。
【００３３】
図７に示したテーブルを用いて、印影の大きさに応じて、フィルタサイズおよび相違画素数の閾値を決定し、それを用いて類似文字判定処理を行なうことにより、例えば図５に示される重ね合わせイメージデータ２８中のフィルタ３６に対しては、図８に示すように、相違画素数が２５（≧２２）あり、類似文字だと判別される。また、図６に示される重ね合わせイメージデータ（相違画素部分）３３中のフィルタ３８に対しては、図９に示すように、相違画素数が６３（≦８９）あり、類似文字だと判別されない。
【００３４】
このように、本実施形態によれば、印影の大きさに応じて、フィルタサイズおよび相違画素数の閾値を決定し、それを用いて類似文字判定処理を行なうことにより、登録印と相違する読取印が一致すると判定される可能性を減少させることができるとともに、登録印と同一である読取印が類似文字であると判定される可能性を減少させることができることが、数々の印影のイメージデータ同士の照合実験（本願では、図３、図４、図５、図６、図８、図９にその一部が示されている）を通して本願の発明者により発見された。なお、この際、相違画素数の閾値のフィルタ中に含まれる画素数に対する割合は登録印サイズに関係なく略一定で、その値を、０．８７７・・・（＝４３／４９）〜０．８９（８９／１００）の範囲内から選定することが好ましいことも本願の発明者により発見された。
【００３５】
図１０は、印鑑照合処理のフローチャートである。
図１０のステップＳ１１において、窓口のオペレータにより、提出された帳票が参照され、例えば、その帳票上の口座番号が印鑑照合装置１の入力部（不図示）を介して入力される。そして、検索部２によりその入力した口座番号をキーとして、口座番号と登録印イメージデータとを対応付けたデータを保持する印鑑サーバ３が検索され、見つけた登録印イメージデータが印鑑サーバ３から読み出される。
【００３６】
続いて、ステップＳ１２において、窓口のオペレータはスキャナ４により提出された帳票上に押印された印鑑の印影を内に含むその帳票上の所定範囲をイメージデータとして読み取る。
【００３７】
ステップＳ１２に続くステップＳ１３では、印影検索部６により、読み取られた印影を内に含む帳票上の所定範囲のイメージデータが検索されて、その所定範囲のうちの印影がある範囲を、読取印イメージデータとして特定する。
【００３８】
ステップＳ１３に続くステップＳ１４では、照合処理部７により、登録印イメージデータと読取印イメージデータとの照合が行われ、その結果として、登録印イメージデータと読取印イメージデータとの一致率が算出される。なお、この際、登録印イメージデータから登録印の印影領域のサイズ（縦／横の大きい方の長さ）が求められる。
【００３９】
続く、ステップＳ１５では、登録印イメージデータと読取印イメージデータとが重ね合わせられて重ね合わせイメージデータが作成される。
ステップＳ１５に続くステップＳ１６では、環境ファイル４０から、類似文字判別のパラメータすなわち、図７のテーブルが読み込まれる。
【００４０】
続く、ステップＳ１７では、ステップＳ１４で求められた登録印の印影領域のサイズが取得され、ステップＳ１８のその登録印の印影領域のサイズ判定ステップにおいて、そのサイズに応じて処理が分岐される。
【００４１】
すなわち、ステップＳ１８において登録印のサイズが、０．３ｃｍ〜０．９ｃｍのサイズ範囲に含まれていると判定された場合、ステップＳ１９において、図７のテーブル中の対応する項目（フィルタサイズを５×５＝２５画素、相違画素数の閾値を２２）が類似文字判別のパラメータとして設定され、そのパラメータを用いて、ステップＳ２２の類似文字判定処理が類似文字判定部８により実行される。
【００４２】
また、ステップＳ１８において登録印のサイズが、０．９ｃｍ〜１．３ｃｍのサイズ範囲に含まれていると判定された場合、ステップＳ２０において、図７のテーブル中の対応する項目（フィルタサイズを７×７＝４９画素、相違画素数の閾値を４３）が類似文字判別のパラメータとして設定され、そのパラメータを用いて、ステップＳ２２の類似文字判定処理が類似文字判定部８により実行される。
【００４３】
また、ステップＳ１８において登録印のサイズが、１．３ｃｍ〜５．０ｃｍのサイズ範囲に含まれていると判定された場合、ステップＳ２１において、図７のテーブル中の対応する項目（フィルタサイズを１０×１０＝１００画素、相違画素数の閾値を８９）が類似文字判別のパラメータとして設定され、そのパラメータを用いて、ステップＳ２２の類似文字判定処理が類似文字判定部８により実行される。
【００４４】
類似文字判定部８は、いずれかの位置で、フィルタ内の相違画素数が閾値を超えた場合に、類似文字判別フラグをオンに設定する。もし、そのような位置がない場合、最後の位置まで類似文字判別フラグがオフのままで処理が続行されることになる。
【００４５】
ステップＳ２２に続くステップＳ２３では、類似文字判別フラグの値に応じて、フィルタ内の相違画素数が類似文字の閾値（相違画素の閾値）以上のフィルタ位置があったかどうかが判定される。
【００４６】
ステップＳ２３において、類似文字の閾値以上のフィルタ位置があったと判定された場合（類似文字判別フラグがオンの場合、ステップＳ２３の判定結果がＹｅｓの場合）、ステップＳ２４において、ステップＳ１４で算出された一致率からペナルティーポイントが減算されることで、一致率の補正が行なわれる。これは、例えば、登録印イメージデータと読取印イメージデータとが必ず不一致となるような大幅な減算である。この結果、続くステップＳ２５では、登録印イメージデータと読取印イメージデータとが不一致であるという照合処理の結果が表示装置１２上に表示される。
【００４７】
一方、ステップＳ２３において、類似文字の閾値以上のフィルタ位置がなかったと判定された場合（類似文字判別フラグがオフの場合、ステップＳ２３の判定結果がＮｏの場合）、続くステップＳ２５では、登録印イメージデータと読取印イメージデータとが一致したという照合処理の結果が表示装置１２上に表示される。
【００４８】
なお、実際には、ステップＳ１４で一致率が算出された後に、その一致率が（一致率の
）閾値以上であるかどうかを判定することにより、類似文字判定処理を行なうかどうかを決定するステップがある。そして、そのステップで、一致率が閾値を超えた場合に、類似文字判定処理を実行するようにしている。
【００４９】
また、以上の説明では、ステップＳ２４において、ペナルティーポイントを減算することで、一致率を補正し、照合処理の最終結果に反映させていた。しかし、これ以外の方法を採用することも可能である。例えば、一致率は補正せずに、一致率と類似文字判別フラグとの組み合わせにより判定するようにしてもよい。この場合、一致率が閾値以上で、類似文字判別フラグがオンの場合は、登録印イメージデータと読取印イメージデータとは不一致と判定し、一致率が閾値以上で、類似文字判別フラグがオフの場合は、登録印イメージデータと読取印イメージデータとは一致と判定する。
【００５０】
続いて、図１１および図１２を参照して、類似文字判定処理（局所解析処理）を説明する。
図１１は、類似文字判定処理（局所解析処理）のフローチャートである。
【００５１】
この類似文字判定処理では、図１２に示すように、設定したフィルタ４３を重ね合わせイメージデータ４２の左上端から１ドットずつずらしながら右下端に移動させていく。図１１のステップＳ３１〜Ｓ３８の処理は、設定した各フィルタ内で実行される。相違画素数のカウントでは、上記した（２）で、対応する読取印イメージデータの画素が黒であり、対応する登録印イメージデータの画素が白である場合に、重ね合わせイメージデータの画素を青色とした場合と、上記した（３）で、対応する読取印イメージデータの画素が白であり、対応する登録印イメージデータの画素が黒である場合に、重ね合わせイメージデータの画素を緑色とした場合を独立にカウントする。
【００５２】
図１１のステップＳ３１の処理に先立って、フィルタの矩形領域の縦方向の画素範囲と横方向の画素範囲が設定される。これにより、重ね合わせイメージデータ４２上でのフィルタ４３の位置が決定する。
【００５３】
図１１のステップＳ３１において、青色の画素数のカウント変数、緑色の画素数のカウント変数、および青色または緑色の画素数のカウント変数、を初期化する。
そして、続くステップＳ３２において、注目画素（現在の画素）がフィルタサイズ領域内にあるかどうかが判定される。
【００５４】
ステップＳ３２において注目画素がフィルタサイズ領域内にあると判定された場合（ステップＳ３２の判定結果がＹｅｓの場合）、その注目画素の値が青色であった場合は、ステップＳ３３およびＳ３５で青色の画素数のカウント変数および青色または緑色の画素数のカウント変数がそれぞれインクリメントされ、次の画素を注目画素としてステップＳ３２に戻る。
【００５５】
また、その注目画素の値が緑色であった場合は、ステップＳ３４およびＳ３５で緑色の画素数のカウント変数および青色または緑色の画素数のカウント変数がそれぞれインクリメントされ、次の画素を注目画素としてステップＳ３２に戻る。
【００５６】
ステップＳ３２において注目画素がフィルタサイズ領域内にはないと判定された場合（ステップＳ３２の判定結果がＮｏの場合）、ステップＳ３６において、重ね合わせイメージデータ４２上のそのフィルタ領域内の青色の画素数のカウント変数が相違画素数の閾値未満であるかどうかが判定される。
【００５７】
ステップＳ３６で青色の画素数のカウント変数が閾値未満ではない（すなわち、閾値以
上である）と判定された場合（ステップＳ３６の判定結果がＮｏの場合）、ステップＳ３９において、類似文字判別フラグをオンに設定し、一連の処理を終了する。
【００５８】
ステップＳ３６で青色の画素数のカウント変数が閾値未満であると判定された場合（ステップＳ３６の判定結果がＹｅｓの場合）、ステップＳ３７において、重ね合わせイメージデータ４２上のそのフィルタ領域内の緑色の画素数のカウント変数が相違画素数の閾値未満であるかどうかが判定される。
【００５９】
ステップＳ３７で緑色の画素数のカウント変数が閾値未満ではない（すなわち、閾値以上である）と判定された場合（ステップＳ３７の判定結果がＮｏの場合）、ステップＳ３９において、類似文字判別フラグをオンに設定し、一連の処理を終了する。
【００６０】
ステップＳ３７で緑色の画素数のカウント変数が閾値未満であると判定された場合（ステップＳ３７の判定結果がＹｅｓの場合）、ステップＳ３８において、重ね合わせイメージデータ４２上のそのフィルタ領域内の青色または緑色の画素数のカウント変数が相違画素数の閾値未満であるかどうかが判定される。
【００６１】
ステップＳ３８で青色または緑色の画素数のカウント変数が閾値未満ではない（すなわち、閾値以上である）と判定された場合（ステップＳ３８の判定結果がＮｏの場合）、ステップＳ３９において、類似文字判別フラグをオンに設定し、一連の処理を終了する。
【００６２】
ステップＳ３８で青色または緑色の画素数のカウント変数が閾値未満であると判定された場合（ステップＳ３８の判定結果がＹｅｓの場合）、フィルタの矩形領域の縦方向の画素範囲と横方向の画素範囲を次のものに設定して、ステップＳ３１以降の処理を繰り返す。
【図面の簡単な説明】
【００６３】
【図１】本発明の一実施形態に係る印鑑照合装置の構成を示すブロック図である。
【図２Ａ】類似文字判定処理（局所解析処理）の方法を示す図（その１）である。
【図２Ｂ】類似文字判定処理（局所解析処理）の方法を示す図（その１の続き）である。
【図３】類似文字判定処理（局所解析処理）の方法を示す図（その２）である。
【図４】標準的な大きさの印影（相違印）における現状の局所解析処理の処理結果の一例を示す図である。
【図５】小さめの印影（相違印）における現状の局所解析処理の処理結果の一例を示す図である。
【図６】大きい印影（同一印）における現状の局所解析処理の処理結果の一例を示す図である。
【図７】登録印の大きさと類似文字判別のパラメータとを対応付けたテーブルである。
【図８】本実施形態の方法による小さめの印影（相違印）における局所解析処理の処理結果の一例を示す図である。
【図９】本実施形態の方法による大きい印影（同一印）における局所解析処理の処理結果の一例を示す図である。
【図１０】印鑑照合処理のフローチャートである。
【図１１】類似文字判定処理（局所解析処理）のフローチャートである。
【図１２】類似文字判定処理（局所解析処理）の方法を示す図（その３）である。
【符号の説明】
【００６４】
１      印鑑照合装置
２      検索部
３      印鑑サーバ
４      スキャナ
５      照合／判定部
６      印影検索部
７      照合処理部
８      類似文字判定部
１１      照合結果表示部
１２      表示装置
１５、２３、２８、４２      重ね合わせイメージデータ
１６、３３      重ね合わせイメージデータ（相違部分画素）
１８、２４、２９、３４、３６、３８、４３      フィルタ
２１、２６、３１      登録印イメージデータ
２２、２７、３２      読取印イメージデータ
４０      環境ファイル
【図１】
2010026874.tif 000003
【図７】
2010026874.tif 000004
【図１０】
2010026874.tif 000005
【図１１】
2010026874.tif 000006
【図１２】
2010026874.tif 000007
【図２Ａ】
2010026874.tif 000008
【図２Ｂ】
2010026874.tif 000009
【図３】
2010026874.tif 000010
【図４】
2010026874.tif 000011
【図５】
2010026874.tif 000012
【図６】
2010026874.tif 000013
【図８】
2010026874.tif 000014
【図９】
2010026874.tif 000015